(57)【要約】      （修正有）【課題】パターをストロークしてボールを打ち出すとき、打者がヘッドに働く回転による慣性モーメントを事前に予知をし、敏感に感じ取って、ボールを所定の方向に打ち出せるパターを提供する。【解決手段】パター２１において、ヘッド２２に取り付けられたネック２３は、ヘッド２２の打球面を構成する、ブレード２２ａの背面で、打球方向に向けて設けられた差込口みに向けて、折り曲げられた軸線部材２３Ａが接合されている。このことにより、打者がパッティング時の、テークバックやストローク時に働く、ヘッド２２の回転運動による慣性モーメントを、軸線部材２３Ａの長さを利用して、ヘッド２２を支持することが出来、過度に働く慣性モーメントを予知し、制御することが出来るので、打者は所定の方向にボールを打ち出すことが容易になる。【選択図】図３
2009022719.tif 000002
【特許請求の範囲】
【請求項１】
ヘッドと、該ヘッドに取り付けられたネックと、該ネックの上端に取り付けられているシャフトからなるゴルフパターに於いて、該ヘッドの打球面を構成する、ブレードの背面、あるいは後方に、打球方向に向けて、軸線を設けたことを特徴とする、ゴルフパター。
【発明の詳細な説明】
【技術分野】
【０００１】  本発明はゴルフパターに関するものである。
【背景技術】
【０００２】  従来、例えば図９〜図１１に示すように、ヘッド（２）と、該ヘッド（２）にネック（３）を介して取り付けられているシャフト（４）とからなるゴルフパター（１）において、該ネック（３）は、該ヘッド（２）のブレード（２ａ）の後方天端に取り付く垂直の軸線（３Ａ）と、次に、打者から見て後方且つ水平に折り曲げられた軸線（３Ｂ）と、次に上方且つ、打球方向に傾斜して折り曲げられた軸線（３Ｃ）と、次に、打者から見て前方側で且つ水平に折り曲げられた軸線（３Ｄ）と、次にシャフト（４）に取り付く、上部方向で斜め後方に折り曲げられた軸線（３Ｅ）とからなり、該ヘッド（２）に取り付く垂直の軸線（３Ａ）と、該ネック（３）がシャフト（４）に取り付く同軸芯の、上方斜め方向の軸線（３Ｂ）並びに、（３Ｃ）、（３Ｄ）は、脚長の異なるＵ字状の部材を９０度回転させて、横向きに取り付けられた構成が提供されている。
該パター（１）は、ヘッド（２）にネック（３）を介してシャフト（４）が垂直軸（Ｖ）より１０度以上の角度（■）をもって打者側に傾斜して取り付けられていることから、該シャフト（４）を持ってボールを打ち出す打球時には、打球方向の狂いが生じやすい欠点があるとされている。【０００３】  また、図１２〜図１３に示すように、平面形状が半円状のヘッド（１２）と、該ヘッド（１２）の天端中央付近を固定端として、打球方向に弓状に湾曲させてシャフト（１４）の方向に取り付けたネック（１３）とからなるゴルフパター（１１）が提供されている。
該パター（１１）はヘッド（１２）にネック（１３）を介してシャフト（１４）が垂直軸（Ｖ）より１０度以上の角度（■）をもって打者側に傾斜して取り付けられていることから、該シャフト（１４）を持ってボールを打ち出す打球時には、打球方向の狂いが生じやすい欠点があるとされている。
【発明の開示】
【発明が解決しようとする課題】
【０００４】  図９〜図１１に示すパター（１）にあっては、打球時にシャフト（４）を持って、ヘッド（２）を打球方向に振り出すことにより、打撃力は、シャフト（４）の先端同軸芯の軸線（３Ｅ）を介して、該ネック（３）のＵ字状の脚部に相当する上段の水平軸線（３Ｄ）に打撃力が伝わり、さらに打力は、順次該ネック（３Ｃ）、そして、Ｕ字状脚部に相当する下段の水平軸線（３Ｂ）を通り、更に該ヘッド（２）からの立ち上がり軸線（３Ａ）へと伝わって、該ヘッド（２）を打球方向に振り出すことになる。【０００５】  この時、図９に示すように、シャフト（４）は、垂直軸（Ｖ）より打者側に１０度以上の角度（■）をもってネック（３）に取り付けられていることから、打撃時には、シャフト軸（Ｐ）を中心として該ヘッド（２）の回転がし易く、打者には該ヘッド（２）の回転力の強弱が伝わり難いため、所定の方向に該ヘッド（２）を振り出すことが難しく、打球方向の狂いが生じやすくなっている。【０００６】  このために、図９及び図１１に示すように、該ネック（３）がヘッド（２）に取り付く部分の構造は、該ネック（３）の最下端の垂直軸線（３Ａ）がヘッド（２）の打球面を構成するブレード（２ａ）の天端後方に取り付いているため、打者がシャフト（４）を持って所定の方向にヘッド（２）を振り出そうとするとき、該ヘッド（２）は、ネック（３）の最下端の垂直軸線（３Ａ）の垂直な軸芯を中心にして回転力が発生し、慣性モーメントとなるために、打者には該ヘッド（２）の回転力の強弱が伝わり難いため、所定の方向に該ヘッド（２）を振り出すことが難しく、打球方向の狂いが生じやすい。【０００７】  また、図１２、図１３に示すパター（１１）にあっては、打球時にシャフト（１４）を持って、ヘッド（１２）を打球方向に振り出すことにより、打撃力は、シャフト（１４）から打球方向より反対方向に湾曲して取り付けられたネック（１３）に伝わり、該ネック（１３）の下端は、平面形状が半円状をしたヘッド（１２）のほぼ中央部に固定されているので、打撃力は打球面を構成するブレード（１２ａ）を背面から押し出す形のパターが提供されている。【０００８】  このパター（１１）にあっては、シャフト（１４）は、垂直軸（Ｖ）より打者側に１０度以上の角度（■）をもってネック（１３）に取り付けられていることから、打撃時には、シャフト軸（Ｐ）を中心として該ヘッド（１２）の回転がし易く、打者には該ヘッド（１２）の回転の強弱が伝わり難いため、所定の方向に該ヘッド（１２）を振り出すことが難しく、打球方向の狂いが生じやすくなっている。【０００９】  このために、図１２、図１３に示すパター（１１）にあっては、打者がシャフト（１４）を持ってボールを所定の方向に打ち出そうとするとき、打力は、シャフト（１４）からネック（１３）に伝わり、さらにヘッド（１２）に伝わってボールを打ち出すことが出来るが、湾曲をした該ネック（１３）の上端がシャフト（１４）に取り付く平面位置は、ヘッド（１２）を構成するブレード（２ａ）の打球面より打球方向側に位置しており、一方、ネック（１３）の下端がヘッド（１２）に取り付く位置は、半円状をした、ヘッド（１２）のほぼ中央付近にある。この場合打者が所定の方向にボールを打ち出そうとするとき、シャフト（１４）の軸芯（Ｐ）を中心にして、ヘッド（１２）が、水平面内を回転する。あるいは、半円状をしたヘッド（１２）のほぼ中央付近に取り付けられた、ネック（１３）の下端を中心にして、ヘッド（１２）が水平面内を回転する場合があって、後者の場合は、シャフト（１３）から伝えられた打力は、半円状をした該ヘッド（１２）のほぼ中央付近から、該ヘッド（１２）のブレード（１２ａ）の方向に打力が、該ヘッド（１２）内を伝わって、打球面に働くことになり、図１３に示すとおり、該ネック（１３）の上端の平面位置と、該ネック（１３）の下端の平面位置との間には、距離（Ｌ）があり、この距離が大きい他に、ネック（１３）の下端がヘッド（１２）に取り付いている構造は、点接続に近いために、打者がシャフト（１４）を持ってボールを打球方向に打ち出そうとするときは、ヘッド（１２）の回転方向は、打者の感性に反して、打者から見て、ネック（１３）とヘッド（１２）の接続点を中心にして、左右共に自由に回転をすることになり、打者には該ヘッド（１２）の回転の強弱が伝わり難くなり、所定の方向にヘッド（１２）を振り出すことが難しく、打球方向の狂いが生じやすい。
【発明の効果】
【００１０】  図９〜図１１に示すように、打者が、ボールを所定の方向に打ち出そうとするとき、該ヘッド（２）は、打球方向の前後の垂直面内を、円弧状で、左右に移動する運動軌跡が不可欠になるが、図９と図１０に示すとおり、該シャフト（４）は、垂直軸（Ｖ）に対して、打者側に１０度以上の角度（■）をもって取り付けられていることから、該シャフト（４）を持って、ヘッド（２）を所定の方向にボールを打ち出そうとしても、パッティング時のテークバックやストローク時には、シャフト（４）の軸芯を中心にして、該ヘッド（２）に、水平方向の回転運動が起こることになり、これが原因で、回転運動による慣性モーメントの強弱を、打者の感覚で瞬時に感知し抑制することが困難になり、打球方向に狂いが生じ易くなる。【００１１】  また、図９〜図１１に示す、該ヘッド（２）の慣性モーメントの発生の原因になっている、他の要素として、図９に示すように、打者が、シャフト（４）を持って、ボールを所定の方向に打ち出そうとするとき、シャフトの回転を意識的に止めて、該ヘッド（２）を、打球方向の前後の垂直面内を円弧状に運動させようとしても、ネック（３）がヘッド（２）に取り付く部位は、該ヘッド（２）の打球面を構成する、ブレード（２ａ）の天端後方にあり、該ヘッド（２）の前後方向の重心位置より、かなり後方にあることから、該ネック（３）の最下端にある垂直の取り付け部材（３Ａ）の軸芯を中心にして、ヘッド（２）の回転運動が起こることになり、これが原因で、回転運動による慣性モーメントの強弱を、打者の感覚で瞬時に感知し抑制することが困難になり、打球方向に狂いが生じ易くなる。【００１２】  更に、打球時に働く回転運動の原因となっているものに、シャフト軸を中心として働く回転運動の要素と、ネックがヘッドに取り付く位置が、ヘッドの前後方向の重心位置より後方で、且つ、打球面を構成するブレードの天端に取り付いていることによる回転運動の二つの要素が合成され、複合的に働くことが大半である。よって、これが原因になってパッティング時に働く、慣性モーメントの強弱を、打者の感覚で瞬時に感知し、抑制することが困難になり、打球方向に狂いが生じ易くなる。【００１３】  このことから、本発明は、図１〜図４に示すように、シャフト（２４）とそれに取り付くネック（２３）と、該ネック（２３）に取り付くヘッド（２２）とからなるゴルフパター（２１）において、該ネック（２３）は、シャフト（２４）と同じ軸芯上にある、打者から見て、後方斜めの軸線部材（２３Ｄ）から、後方且つ、ヘッド（２２）の打球面に平行で且、水平な軸線に折り曲げられた部材（２３Ｃ）と、該ヘッド（２２）に取り付く角度で斜め下方に折り曲げられた軸線部材（２３Ｂ）と、該ヘッド（２２）の後方で、且つ該ヘッド（２２）の打球面を構成するブレード（２２ａ）の背面で、打球方向に向けて折り曲げられた部材（２３Ａ）とからなり、該ネック（２３）がヘッド（２２）に取り付ける構造は、該ヘッド（２２）の後方で、且該ヘッド（２２）の水平面内の重心付近に該ネック（２３）を固定するソケットを有するゴルフパター（２１）を提供している。【００１４】  そこで、図１〜図４に示すとおり、打者がシャフト（��４）を持って所定の方向にボールを打ち出そうとするとき、打力は、該シャフト（２４）からネック（２３）の最上端に位置するシャフト（２４）と同軸芯の部材（２３Ｅ）に伝わり、ヘッド（２２）の打球面に平行且水平で、打者から見て後方に折り曲げられた軸線部材（２３Ｃ）を通り、更に、ヘッド（２２）に取り付く斜め下部方向に折り曲げられた部材（２３Ｂ）を通って、ヘッド（２２）に取り付く打球方向に向けて折り曲げられた軸線部材（２３Ａ）に伝わり、該ヘッド（２２）を打球方向に振り出すことになる。【００１５】  この場合、該ネック（２３）の最下端に打球方向に向けて軸線（２３Ａ）を設けることによって、打者がシャフト（２４）を持って所定の方向にボールを打ち出そうとするとき、ヘッド（２２）を支持するネック（２３）の最下端の取り付け構造は、図９に示すネック（３）の点支持、あるいはネック（３）の部材断面の全断面による、狭小な支持では、ヘッド（２）の回転運動が起こりやすいのに対して、図１〜図４に示す、ネックの最下端の部材（２３Ａ）は、ヘッド（２２）の打球方向に向けてネック（２３）の部材の太さに加えて長さを持っているので、打者は、パッティング時に働くヘッド（２２）の回転運動による慣性モーメントをネックの最下端の部材（２３Ａ）の長い軸で支持することが出来るので、ボール打球時のテークバックやストローク時に働く回転力の抑制やコントロールが容易になり、その結果、打者は所定の方向にヘッド（２２）を振り出すことが容易になる効果がある。【００１６】    以下、本発明を、実施例１・実施例２により詳細に説明をする。
【実施例１】
【００１７】  本発明を図１〜図４に示す実施例によって説明をする。
図１に示すように、ヘッド（２１）と、該ヘッド（２１）に取り付けられているネック（２３）と、シャフト（２４）とからなるゴルフパター（２１）において、該ネック（２３）は、シャフト（２４）と同じ軸芯に取り付く、打者から見て、後方斜めの軸線部材（２３Ｄ）と、打者から見て後方で、ヘッド（２２）の打球面に平行且水平に折り曲げられた部材（２３Ｃ）と、更にヘッド（２２）の打球面を構成するブレード（２２ａ）の背面、後方で、且該ヘッド（２２）の水平面内の重心、あるいは重心付近に取り付くネック（２３）の差込口がある、斜め下方に向かって折り曲げられた、斜め縦方向の部材（２３Ｂ）と、該ヘッド（２２）の打球面を構成するブレード（２２ａ）の後方背面で打球方向に向けて設けられた差込口に合わせて折り曲げられた部材（２３Ａ）とからなる構造をしている。【００１８】  そこで、打者が、シャフト（２４）を持って、所定の方向にボールを打ち出そうとするとき、打力は、該シャフト（２４）に取り付いている、同じ軸芯にあるネック（２３）の、打者から見て後方斜めの部材（２３Ｄ）に伝わり、次にヘッド（２２）の打球面に平行で、且水平後方に折り曲げられた部材（２３Ｃ）を通り、次にヘッド（２２）の打球面を構成するブレード（２２ａ）の背面で、打者から見て、後方で且水平面内の重心、あるいは重心付近に取り付けられたネック（２３）の差込口に向かって、下方に折り曲げられた部材（２３Ｂ）を通り、更にヘッド（２２）の、打球方向に向かって折り曲げられた水平の部材（２３Ａ）に伝わり、ヘッド（２２）の打球面を構成するブレード（２２ａ）の後方で、該ヘッド（２２）の水平面内の、重心を含む重心付近に設けられた差込口に伝わり、該ヘッド（２２）を打球方向に振り出すことが出来る。【００１９】  この場合、図１、図３に示すとおり、シャフト（２４）は、打者から見て、後方斜めに１０度以上の角度（■）が付いているために、打者が、シャフト（２４）をもってパッティング行動を起こすとき、テークバックやストローク時には、シャフト軸を中心にして、ヘッド（２２）が、打者から見て左右に回転運動を起こし易い。また他の要因として、打者がパッティング行動を起こすとき、テークバックやストローク時には、ネック（２３）とヘッド（２２）の取り付け位置を中心にして、ヘッド（２２）が、打者から見て左右に回転運動を起こし易い。更に、打者が、パッティング行動を起こすとき、ヘッド（２２）の回転運動を起こす要因として、シャフト（２４）の軸芯を中心として、ヘッド（２２）が回転運動をする要素と、ネック（２３）と、ヘッド（２２）の取り付け位置を中心にして、ヘッド（２２）が、回転運動をする要素が合成された位置でヘッド（２２）の回転運動が起こりやすく、パッティング時の、ヘッド（２２）の回転運動の大半は、前記の２大要素の合成された位置で発生をしているので、打者は所定の方向にボールを打ち出そうとしても、ヘッド（２２）の回転運動による、慣性モーメントの強弱が、打者の感覚に伝わり難く、慣性モーメントの制御やコントロールが難しい。【００２０】  そこで、図１〜図４に示すゴルフパター（２１）において、ネック（２３）は、シャフト（２４）と同じ軸芯上の先端に取り付く、斜め後方の部材（２３Ｄ）と、打者から見て後方で、ヘッド（２２）の打球面に平行且、水平に折り曲げられた軸線部材（２３Ｃ）と、ヘッド（２２）の打球面を構成する、ブレード（２２ａ）の後方背面で、ヘッド（２２）の水平面内の重心、あるいは重心付近で、打球方向に向けて設けられた、ネック（２３）の差込口に向かって折り曲げられた、斜め縦方向の軸線部材（２３Ｂ）と、ブレード（２２ａ）の後方背面に設けられた差込口の方向に向けて折り曲げられた軸線部材（２３Ａ）とからなり、図２に示すとおり、ネック（２３）の上位にある軸線部材（２３Ｃ）は、ヘッド（２２）の打球面に平行で、しかも水平になっており、一方、ネック（２３）の下端に位置する、ヘッド（２２）に取り付く軸線部材（２３Ａ）は、ヘッド（２２）の水平面内の重心を含む、重心付近で、ブレード（２２ａ）の後方背面でヘッド（２２）の、打者から見て、前後方向の垂直面に直角で、打球方向に向けて折り曲げられていることから、ネック（２３）を構成する部材（２３Ｃ）と、部材（２３Ａ）は、ヘッド（２２）を上から見下ろした形は、各々が長さを持った「Ｌ」字状の仮想軸線を形成するので、打者がシャフト（２４）を持ってパッティング行動を起こすとき、パッティング行動直前の、スタンスに入った段階で、打力によって働く、ヘッド（２２）の水平方向の回転運動を予知することが可能になり、その結果、打者はパッティング時のテークバックやストロークによって働く、ヘッド（２２）の回転運動を制御し、コントロールすることが出来るので、打者は所定の方向にボールを打ち出すことが容易になる。【００２１】    更に、ネック（２３）の最下端の部材（２３Ａ）が、ヘッド（２２）に取り付く部位は、ヘッド（２２）の水平面内の重心を含む重心付近にあり、また、同部材（２３Ａ）は、部材の太さと長さがあるので、ネック（２３）を構成する部材（２３Ａ）の平面形状は、打球方向に長い矩形状になるので、シャフト（２４）を持って、ヘッド（２２）を支持する機構は、矩形を呈したネック部材の太さと、長さの面で支持することになり、ヘッド（２２）の水平方向の回転を制御することが出来る他に、ネック（２３）の最下端に位置する軸線部材（２３Ａ）は、ヘッド（２２）の打球面の垂直面に対して、直角に、軸線の長さを持って取り付けられていることから、ヘッド（２２）の前後方向のヘッドの重心軸を中心にして働く、ヘッド（２２）のローリング運動を制御することが出来るので、打者が、シャフト（２４）を持ってパッティング行動を起こすとき、パッティング行動直前のスタンスに入った段階で、打力によって働く、ヘッド（２２）のローリング運動を規制することが出来るので、打者は、所定の方向にボールを打ち出すことが容易になる。【００２２】  なお、図１〜図４に示すパター（２１）において、ネック（２３）が、ヘッド（２２）に取り付く位置は、ヘッド（２２）の、打者側から見て、後方にある。このために、打者が、シャフト（２４）を持ってパッティング行動を起こすとき、ネック（２３）を介して、ヘッド（２２）を支持することになるので、パッティング時には、ネック（２３）とヘッド（２２）の取り付け位置を支持点にして、ヘッド（２２）本体に天秤現象が起こり、左右に回転運動が起こりやすくなる。そこで、ネック（２３）を構成する軸線部材（２３Ｃ）は、ヘッド（２２）の打球面に対して、平行且水平で、打者から見て前後方向に長い軸線を持っているので、打球時に働く、ヘッド（２２）の天秤現象を、ネック（２３）を構成する部材（２３Ｃ）の長さを利用して、打者がパッティング行動の直前に天秤現象を感じ取り、コントロールすることが出来るので、所定の方向に、ボールを、容易に打ち出すことができる。
【実施例２】
【００２３】  本発明を図５〜図８に示す実施例によって説明をする。
図５〜図８に示すように、ヘッド（３２）と、該ヘッド（３２）に取り付けられているネック（３３）と、シャフト（３４）とからなるゴルフパター（３１）において、該ネック（３３）は、シャフト（３４）と同じ軸芯に取り付く、打者から見て、後方斜めの軸線部材（３３Ｄ）と、次に、ヘッド（３２）の打球面を構成するブレード（３２ａ）の、打者から見て後方背面で、該ヘッド（３２）の水平面内の重心を含む、重心付近に向けて、斜め下方に向けて折り曲げられた軸線部材（３３Ｃ）と、次に該ヘッド（３２）の打球面に平行で且水平前方に折り曲げられた軸線部材（３３Ｂ）と、次にヘッド（３２）の打球面を構成するブレード（３２ａ）の背面で、該ヘッド（３２）の全体の重心を含む重心付近で、打球方向に設けられたネック（３３）の差込口に合うように、該ヘッド（３２）の打球面に向けて折り曲げられた軸線部材（３３Ａ）とからなる構造をしており、更に該ネック（３３）の軸線部材（３３Ｃ）は軸線の中程で屈折をしている。【００２４】  そこで、打者が、シャフト（３４）を持って、所定の方向にボールを打ち出そうとするとき、打力は、該シャフト（３４）に取り付いている、同じ軸芯にある、ネック（３３）の打者から見て、後方斜めの軸線部材（３３Ｄ）に伝わり、次に、ヘッド（３２）の打球面を構成するブレード（３２ａ）の打者から見て後方背面で、該ヘッド（３２）の水平面内の、重心を含む重心付近に向けて、斜め下方に向けて折り曲げられた軸線部材（３３Ｃ）に伝わり、次に、該ヘッド（３２）の打球面を構成するブレード（３２ａ）の背面で、打球面に平行で且つ水平前方に折り曲げられた軸線部材（３３Ｂ）に伝わり、次に、該ヘッド（３２）の全体の重心を含む重心付近で、打球方向に設けられたネック（３３）の差込口に合うように、該ヘッド（３２）の打球面に向けて折り曲げられた軸線部材（３３Ａ）に伝わって、該ヘッド（３２）の打球面を構成するブレード（３２ａ）の背面で打球方向に設けられたネック（３３）の差込口を介して、ヘッド（３２）を打球方向に振り出すことが出来る。【００２５】  この場合、図５、図７に示すとおり、シャフト（３４）は、打者から見て、後方斜めに１０度以上の角度（■）が付いているために、打者が、シャフト（３４）を持ってパッティング行動を起こすとき、テークバックやストローク時には、シャフト軸を中心にして、ヘッド（３２）が打者から見て、左右に回転運動を起こし易い。また、他の要因として、打者がパッティング行動を起こすとき、テークバックやストローク時には、ネック（３３）とヘッド（３２）の取り付け位置を中心にして、ヘッド（３２）が打者から見て左右に回転運動を起こし易い。更に、打者が、パッティング行動を起こすとき、ヘッド（３２）の回転運動を起こす要因として、シャフト（３４）を中心として、ヘッド（３２）が回転運動をする要素と、ネック（３３）とヘッド（３２）の取り付け位置を中心にして、ヘッド（３２）が回転運動をする要素が合成された位置で、ヘッド（３２）の回転運動が起りやすく、パッティング時のヘッド（３２）の回転運動の大半は、前記の２大要素の合成された位置で発生をしているので、打者は、所定の方向にボールを打ち出そうとし��も、該ヘッド（３２）の回転運動による、慣性モーメントの強弱が、打者の感覚に伝わり難く、慣性モーメントの制御やコントロールが難しい。【００２６】  そこで、図５〜図８に示すゴルフパター（３１）において、ネック（３３）は、シャフト（３４）と同じ軸芯状の先端に取り付く、斜め後方の部材（３３Ｄ）と、次に、ヘッド（３２）の打球面を構成するブレード（３２ａ）の、打者から見て後方背面で、該ヘッド（３２）の水平面内の重心を含む、重心付近に向けて折り曲げられた軸線部材（３３Ｃ）と、次に、該ヘッド（３２）の打球面に平行で且水平前方に折り曲げられた軸線部材（３３Ｂ）と、次に、該ヘッド（３２）の打球面を構成するブレード（３２ａ）の背面で、該ヘッド（３２）の全体の重心を含む重心付近で、打球方向に設けられたネック（３３）の差込口に合うように、該ヘッド（３２）の打球面に向けて折り曲げられた軸線部材（３３Ａ）とからなり、該ネック（３３）を構成する斜め縦方向の軸線部材（３３Ｃ）は、軸線の中間付近で屈折をした構造をしている。
そこで、該パター（３１）を用いて、打者が、所定の方向にボールを打ち出そうとするとき、該ネック（３３）を構成する、打者から見て、前後方向の軸線部材（３３Ｂ）は、ヘッド（３２）の水平面内の重心を含む、重心付近にあって、水平で、しかも、ヘッド（３２）の打球面に対して平行になっているので、打者が、シャフト（３４）を持って、所定の方向にボールを打ち出すための、パッティング行動を行うとき、該ネック（３３）を構成する軸線部材（３３Ｂ）に長さがあるので、ヘッド（３２）の水平方向に働く回転運動を、軸線を利用して制御できる他に、該軸線部材（３３Ｂ）は、ヘッド（３２）の水平面内の重心を含む、重心付近にあるため、パッティング行動時は、打者側から見て、ヘッド（３２）の前後方向の重心軸線を中心として働く左右方向のローリング現象が規正されることになる。
このことから、打者がシャフト（３４）を持って、所定の方向にボールを打ち出す時、打者は、パッティングのスタンスに入った時点で、ヘッド（３２）の回転運動の予知が可能になり、該ヘッド（３２）の回転運動の制御が可能になるので、パッティング行動が安定をする。【００２７】  また、図６及び図８に示すように、該ネック（３３）を構成する、軸線部材（３３Ａ）と（３３Ｂ）を組み合わせた形は、「Ｌ」字状になっており、その各々の軸線は、ヘッド（３２）の打球面に平行な軸線と、打球方向に平行な軸線で構成され、「Ｌ」字の折れ角度は直角になっている他に、該「Ｌ」字状の部材は、ヘッド（３２）の水平面内の重心を含む重心付近の水平面内にあることから、打者はシャフト（３４）を持って、所定の方向にボールを打ち出そうとするとき、ヘッド（３２）は平面的に見て、幅と長さを持っているのに対して、該ネック（３３）を構成する、軸線部材（３３Ａ）と、軸線部材（３３Ｂ）を組み合わせた形の、「Ｌ」字状は、各々の２辺で形成される、仮想の、幅と長さを持った矩形の面で、ヘッド（３２）を支持することが出来るので、パッティングの行動時に働く、水平方向の回転運動を事前に予知が可能になり、また、ヘッド（３２）に取り付く軸線部材（３２Ａ）は、該ヘッド（３２）の、打球面に対して垂直な面に直角で、打球方向に向かって長さのある軸線を持っているので、パッティングの行動時は、ヘッド（３２）の前後方向の重心上の軸線を中心にして働く、該ヘッド（３２）のローリング現象が規正される。このことから、打者が、シャフト（３４）を持って、所定の方向にボールを打ち出そうとするとき、パッティング時のテークバックや、ストローク時に働く、ヘッド（３２）の回転運動による、慣性モーメントを、パッティング行動に入る直前のスタンス時に予知が可能になり、コントロールが出来るので、容易に所定の方向に、ボールを打ち出すことが可能になる。【００２８】  更に、ネック（３３）が、ヘッド（３２）に取り付く位置は、該ヘッド（３２）の打者から見て前後方向、並びに、左右方向の重心軸を含む、重心付近の位置にあり、ネック（３３）を構成する軸線部材（３３Ａ）が、打球面の垂直面に対して、直角で、打球方向に向けて取り付いている。このことから、打者がシャフト（３４）を持って、所定の方向にボールを打ち出そうとするとき、パッティング行動によって発生する回転力は、働き難くなるので、打者は所定の方向にボールを打ち出しやすくなる。【００２９】  以上、本発明の実施の形態を、実施例により説明したが、本発明の範囲はこれに限定されるものではなく、請求項に記載された範囲において、目的に応じて変更、変形することが可能である。
例えば、ネックがヘッドに取り付く位置は、ヘッドの打球面を構成するブレードの背面で、打者から見て、前後方向のいずれの部位でも良く、またネックをヘッドに取り付ける方法は、ネックの差込口を設ける他に、ネックとヘッドを一体で製作をしても良く、あるいはシャフトとネックを一体で製作をしても良い。
更に、ネックの最下端に位置する、打球方向に向けて折り曲げられた軸線の角度は、打球面に平行な垂直面に対して直角に取り付けることを限定するものではなく、
更に、ネックを構成する、各々の軸線部材を組み合わせた、形状、寸法は、ヘッドの構造によって重心のバランス位置が変化をするので、塾船部材各々の屈折角度や、長さについて、限定するものではない。
【産業上の利用可能性】
【００３０】  本発明は、ゴルフのラウンドにおいて、プレーヤーが安定したパッティングが出来るパターとして、産業上利用することが出来る。
【図面の簡単な説明】
【００３１】
【図１】実施例１のパターの斜視図
【図２】実施例１のパターノ平面図
【図３】実施例１のパターの背面図
【図４】実施例１のパターの側面図
【図５】実施例２のパターの斜視図
【図６】実施例２のパターの平面図
【図７】実施例２のパターの背面図
【図８】実施例２のパターの側面図
【図９】従来のパター（１）の斜視図
【図１０】従来のパター（１）の平面図
【図１１】従来のパター（１）の側面図
【図１２】従来のパター（２）の斜視図
【図１３】従来のパター（２）の平面図
【符号の説明】
【００３２】１，１１，２１，３１      ゴルフパター
２，１２，２２，３２      パターヘッド
３，１３，２３，３３      パターネック
４，１４，２４，３４，    パターシャフト
Ｖ                        垂直軸
Ｐ                        シャフト軸
■                        ネックのライ角
【図１】
2009022719.tif 000003
【図２】
2009022719.tif 000004
【図３】
2009022719.tif 000005
【図４】
2009022719.tif 000006
【図５】
2009022719.tif 000007
【図６】
2009022719.tif 000008
【図７】
2009022719.tif 000009
【図８】
2009022719.tif 000010
【図９】
2009022719.tif 000011
【図１０】
2009022719.tif 000012
【図１１】
2009022719.tif 000013
【図１２】
2009022719.tif 000014
【図１３】
2009022719.tif 000015